(57)【要約】【課題】ウェットティッシュの品質が劣化しにくく、防災用に長期保管ができるウェットティッシュの防災用パッケージを提供する。【解決手段】所定間隔でミシン目が設けられた長尺な不織布をロール状に巻回してなる不織布巻回体２と、薬液が入った薬液袋３と、不織布巻回体２と薬液袋３とを収納する容器４と、ウェットティッシュの取出口を有し、該ウェットティッシュを密封できるように着脱可能に容器４の上部に取り付けられた蓋５とを備え、使用する際に、不織布巻回体２を薬液袋３から取り出した薬液で浸すことで、ウェットティッシュとして使用できるように構成する。【選択図】図１
0003172750.tif 000002
【実用新案登録請求の範囲】
【請求項１】
所定間隔でミシン目が設けられた長尺な不織布をロール状に巻回してなる不織布巻回体と、
薬液が入った薬液袋と、
前記不織布巻回体と前記薬液袋とを収納する容器と、
ウェットティッシュの取出口を有し、該ウェットティッシュを密封できるように着脱可能に前記容器の上部に取り付けられた蓋とを備え、
使用する際に、前記不織布巻回体を前記薬液袋から取り出した薬液で浸すことで、前記ウェットティッシュとして使用できるように構成したウェットティッシュの防災用パッケージ。
【請求項２】
前記容器は、略四角柱の形状であり、
前記不織布巻回体を前記容器の中心に円柱状に配置し、
前記容器内の四隅に形成される前記不織布巻回体との隙間のそれぞれに、前記薬液袋を１つずつ配置することを特徴とする請求項１に記載のウェットティッシュの防災用パッケージ。
【請求項３】
前記容器は、円柱の形状であり、
前記不織布巻回体は、中空部を有する中空構造になっており、
前記中空部に、前記薬液袋を配置することを特徴とする請求項１に記載のウェットティッシュの防災用パッケージ。
【考案の詳細な説明】
【技術分野】
【０００１】
本考案は、不織布と薬液とを分けて容器内に収納することで防災用に長期保管ができ、使用時に不織布に薬液を浸漬させてウェットティッシュとして機能させることが可能なウェットティッシュの防災用パッケージに関する。
【背景技術】
【０００２】
防災用品の保存方法として、従来、図５に示す技術が知られている（例えば、特許文献１を参照。）。この技術は、寝袋，毛布，タオル，衣類，下着，折りたたみバケツ，紙オムツ，生活に必要な個人情報，お金等，個々人が当面の生活に必要な繊維及び紙製品等、又は、自治体，学校，病院，職場等でも、災害時に必要な繊維製品及び紙製品等の防災用品１０２を、酸素を通さない特殊ラミネート袋１０１に入れ、繊維製品の保管用処理装置１０５とシール装置１０３を用いて、真空パックするものである。
【０００３】
この技術によれば、防災用品は、５分の１以下に圧縮され、雨や雪等はもとより、ダニ，カビ，湿気を寄せ付けず、衛生的に長期保管ができ、また、コンパクトにすることによって、持ち運びやすくし、概ね保管場所を選ばずに収納でき、かつ十分な容量を蓄えることを可能にする。
【先行技術文献】
【特許文献】
【０００４】
【特許文献１】特開２００６−３３５４７１号
【考案の概要】
【考案が解決しようとする課題】
【０００５】
しかしながら、従来の防災用品の保存手段である真空パックでは、一般に、災害時に必要とされるものを衛生的に長期保管することが可能であるが、効果的に長期保管できないものも存在する。
【０００６】
例えば、従来のウェットティッシュのパッケージに関しては、薬液を不織布に浸漬させた構成をとる以上、パッケージ内に存在する空気等によってウェットティッシュの品質が劣化するため、長期間に渡り、ウェットティッシュを保管することが困難であった。
【０００７】
そこで、本考案が解決しようとする課題は、ウェットティッシュの品質が劣化しにくく、防災用に長期保管ができるウェットティッシュの防災用パッケージを提供することである。
【課題を解決するための手段】
【０００８】
この考案は、前記課題を解決するためになされたもので、請求項１に記載のウェットティッシュの防災用パッケージは、所定間隔でミシン目が設けられた長尺な不織布をロール状に巻回してなる不織布巻回体と、薬液が入った薬液袋と、前記不織布巻回体と前記薬液袋とを収納する容器と、ウェットティッシュの取出口を有し、該ウェットティッシュを密封できるように着脱可能に前記容器の上部に取り付けられた蓋とを備え、使用する際に、前記不織布巻回体を前記薬液袋から取り出した薬液で浸すことで、前記ウェットティッシュとして使用できるように構成したことを特徴としている。
【０００９】
請求項１に記載のウェットティッシュの防災用パッケージによれば、容器内において、不織布は元の乾燥したままの状態で保存され、薬液は薬液袋に入った状態で保存されるので、ウェットティッシュの状態（湿潤状態）で保存される場合に比べて品質の劣化が抑えられ、使用時には、劣化のないウェットティッシュとして機能させることができ、防災用に長期保管することが可能となる。
【００１０】
請求項２に記載のウェットティッシュの防災用パッケージは、請求項１において、前記容器は、略四角柱の形状であり、前記不織布巻回体を前記容器の中心に円柱状に配置し、前記容器内の四隅に形成される前記不織布巻回体との隙間のそれぞれに、前記薬液袋を１つずつ配置することを特徴としている。
【００１１】
請求項２に記載のウェットティッシュの防災用パッケージによれば、請求項１の効果に加えて、容器の形状を略四角柱にしたことで、従来からあるロール状に巻回してなる不織布巻回体を利用しつつ、薬液袋を配置するためのスペースを確保することができる。
【００１２】
請求項３に記載のウェットティッシュの防災用パッケージは、請求項１において、前記容器は、円柱の形状であり、前記不織布巻回体は、中空部を有する中空構造になっており、前記中空部に、前記薬液袋を配置することを特徴としている。
【００１３】
請求項３に記載のウェットティッシュの防災用パッケージによれば、請求項１の効果に加えて、不織布巻回体を中空構造にしたことで、従来からある円柱の形状の容器を利用しつつ、薬液袋を配置するためのスペースを確保することができる。
【考案の効果】
【００１４】
本考案によれば、ウェットティッシュの品質が劣化しにくく、防災用に長期保管ができるウェットティッシュの防災用パッケージを提供することができる。
【図面の簡単な説明】
【００１５】
【図１】本考案に係るウェットティッシュの防災用パッケージの実施例１の構成の説明に供する図である。
【図２】本考案に係るウェットティッシュの防災用パッケージの実施例１の断面を示す模式図である。
【図３】本考案に係るウェットティッシュの防災用パッケージの実施例２の断面を示す模式図である。
【図４】本考案に係るウェットティッシュの防災用パッケージの実施例３の断面を示す模式図である。
【図５】従来の防災用パッケージの実施例を示す図であって、（Ａ）ラミネート袋，（Ｂ）保管用処理装置，（Ｃ）圧縮された防災用品，（Ｄ）シール装置である。
【考案を実施するための形態】
【００１６】
以下、本考案を適用した具体的な実施の形態について、図面を参照しながら詳細に説明する。本考案は、例えば、図１乃至図４に示すような構成のウェットティッシュの防災用パッケージ１，２１，４１に適用される。
【００１７】
１．ウェットティッシュの防災用パッケージ１，２１，４１の構成
このウェットティッシュの防災用パッケージ１，２１，４１は、図１乃至図４に示すように、所定間隔でミシン目が設けられた長尺な不織布をロール状に巻回してなる不織布巻回体２，２２，４２と、薬液が入った薬液袋３，２３，４３と、不織布巻回体２，２２，４２と薬液袋３，２３，４３とを収納する容器４，２４，４４と、ウェットティッシュの取出口を有し、該ウェットティッシュを密封できるように着脱可能に容器４，２４，４４の上部に取り付けられた蓋５，２５，４５とを主要部として備えている。
【００１８】
ウェットティッシュの防災用パッケージ１では、図２に示すように、容器４の形状は円柱であって、該容器４の中に、不織布巻回体２と薬液が入った薬液袋３とが、それぞれ、断面視で略半円となるように２つに分かれて収納されている。
【００１９】
ウェットティッシュの防災用パッケージ２１では、図３に示すように、容器２４の形状は円柱であり、不織布巻回体２２は、中空部を有する中空構造になっており、容器２４の中心に円柱状に収納された不織布巻回体２２の中空部に、薬液袋２３が配置されている。
【００２０】
ウェットティッシュの防災用パッケージ４１では、図４に示すように、容器４４の形状は略四角柱であり、不織布巻回体４２を容器４４の中心に円柱状に配置し、容器４４内の四隅に形成される不織布巻回体４２との隙間のそれぞれに、薬液袋４３が１つずつ配置されている。
【００２１】
２．ウェットティッシュの防災用パッケージ１，２１，４１の作用及び使用方法
ウェットティッシュの防災用パッケージ１，２１，４１は、使用する際に、不織布巻回体２，２２，４２を薬液袋３，２３，４３から取り出した薬液で浸すことで、不織布巻回体２，２２，４２が湿潤状態となり、ウェットティッシュとして使用可能になる。不織布巻回体２，２２，４２が湿潤状態とした後、１枚１枚容器から取り出せる通常のウェットティッシュとして使用する。
【００２２】
本考案に係るウェットティッシュの防災用パッケージ１，２１，４１によれば、容器４内において、不織布は元の乾燥したままの状態で保存され、薬液は薬液袋３に入った状態で保存されるので、ウェットティッシュの状態（湿潤状態）で保存される場合に比べて品質の劣化が抑えられ、使用時には、劣化のないウェットティッシュとして機能させることができ、防災用に長期保管することが可能となる。
【００２３】
また、本考案に係るウェットティッシュの防災用パッケージ２１によれば、不織布巻回体２２を中空構造にしたことで、従来からある円柱の形状の容器を利用しつつ、薬液袋２３を配置するためのスペースを確保することができる。
【００２４】
加えて、本考案に係るウェットティッシュの防災用パッケージ４１によれば、容器４４の形状を略四角柱にしたことで、従来からあるロール状に巻回してなる不織布巻回体４２を利用しつつ、薬液袋４３を配置するためのスペースを確保することができる。
【００２５】
なお、本考案は前述した実施の形態のみに限定されるものではなく、本考案の要旨を逸
脱しない範囲において種々の変更が可能であることは勿論である。
【符号の説明】
【００２６】
１，２１，４１  ウェットティッシュの防災用パッケージ
２，２２，４２  不織布巻回体
３，２３，４３  薬液袋
４，２４，４４  容器
５，２５，４５  蓋
１０１  ラミネート袋
１０２  防災用品
１０３  シール装置
１０４  空気排出口
１０５  保管用処理装置
１０６  吸引ホース
１０７  圧縮された防災用品
【図１】
0003172750.tif 000003
【図２】
0003172750.tif 000004
【図３】
0003172750.tif 000005
【図４】
0003172750.tif 000006
【図５】
0003172750.tif 000007